(57)【特許請求の範囲】
【請求項１】
紙等が積層された被綴じ物からなる被固定体の端縁と直交および／または交差する方向に延びる貫通孔を形成するステップと、
中央部に孔を穿設された可撓性シートまたはフィルムからなる帯状体を、帯状体支持手段の帯状体保持面に載置し且つ帯状体保持面に突設された凸部に前記孔を嵌挿して、帯状体を帯状体支持手段に固定するステップと、
前記貫通孔に、可撓性シートまたはフィルムからなる帯状体の一部を挿通し、前記孔の穿設されていない帯状体の一部を被固定体の表面より突出させるステップと、
前記貫通孔に挿通された被固定体の表面より突出された帯状体の一部が、前記貫通孔の延びる方向と交差する方向で被固定体の表面に向けて折り曲げるステップとを含む、帯状体による固定方法。
【請求項２】
被固定体に並列する複数の貫通孔を形成するステップと、
可撓性シートまたはフィルムからなる帯状体の一部を被固定体の一方主面に残し且つ被固定体の一方主面側に残った帯状体の一部分に隣接する帯状体の他部を前記貫通孔に挿通し、被固定体の他方主面より突出させるステップと、
前記貫通孔に挿通され被固定体の表面より突出された帯状体の一部を、帯状体の他部を反対方向に向け被固定体の他方主面に対向するように折り曲げるとともに、帯状体の一部を被固定体の一方主面に対向して固定するステップとを含む、請求項１に記載の帯状体による固定方法。
【請求項３】
被固定体に並列する複数の貫通孔を形成するステップと、
可撓性シートまたはフィルムからなる帯状体の一部を被固定体の一方主面に残し且つ被固定体の一方主面側に残った帯状体の一部分に隣接する帯状体の他部を二重に折り重ねた状態で貫通孔内に挿通し、前記帯状体の他部を被固定体の他方主面に突出させるステップと、
前記貫通孔に挿通され被固定体の表面に突出された二重に折り重ねられた帯状体の一部を引き延ばし且つ貫通孔近傍において帯状体の他部を反対方向に向け被固定体表面に対向するように折り曲げるとともに、帯状体の一部を被固定体の一方主面に対向して固定される、請求項１または請求項２に記載の帯状体による固定方法。
【請求項４】
紙等が積層された被綴じ物からなる被固定体の端縁と直交および／または交差する方向に延びる貫通孔が適宜な間隔をあけて並列して形成され、
その中央部に孔を穿設された可撓性シートまたはフィルムからなる帯状体の一部が、該帯状体の孔が前記貫通孔の間で被固定体の裏面に位置して挿通され、前記孔の穿設されていない帯状体の一部が被固定体の表面より突出され、
前記貫通孔に挿通された被固定体の表面より突出された帯状体の一部が、前記貫通孔の延びる方向と交差する方向で被固定体の表面に向けて折り曲げられた、帯状体による固定構造。
【請求項５】
被固定体に形成された、並列する複数の貫通孔に可撓性シートまたはフィルムからなる帯状体の一部が被固定体の一方主面に残され且つ被固定体の一方主面側に残った帯状体の一部分に隣接する帯状体の他部が前記貫通孔に挿通され、被固定体の他方主面より突出され、前記貫通孔に挿通され被固定体の表面より突出された帯状体の他部が、反対方向に向け被固定体の他方主面に対向するように折り曲げられるとともに、帯状体の一部が被固定体の一方主面に対向して固定された、請求項４に記載の帯状体による固定構造。
【請求項６】
被固定体に形成される貫通孔は、並列する円弧状であり、その中間部において近接するように形成された、請求項１ないし請求項５のいずれかに記載の帯状体による固定方法及び固定構造。
【請求項７】
帯状体の中央部は、被固定体の裏面と対向して、並列された貫通孔間に固定された、請求項１ないし請求項６のいずれかに記載の帯状体による固定方法及び固定構造。
【発明の詳細な説明】
【０００１】
【発明の属する技術分野】
この発明は、帯状体による被固定体の固定の方法およびその構造に関し、特にたとえば用紙などが積層された被綴じ物からなる被固定体の端縁を紙テープ等の帯状体で綴じる方法およびその構造に関する。
【０００２】
【従来の技術】
従来の技術として、特開平１０−８７１号の綴じ具による綴じ方法があるが、図１３ないし図１５に示すように、剥離紙に仮着された貼着テープ１を剥離紙より引き剥がしつつ用紙３の端縁において用紙３の両面にまたがって貼着するとともに、用紙３の裏面側における貼着テープ１の延長部分１ａを用紙３に開けられた貫通孔５より挿通して他面側に向けて突き出させ、貫通孔５を挿通して用紙３の他面側に突き出された貼着テープ１の延長部分１ａを用紙３の他面側の向けて折り曲げ、すでに用紙３の他面側において固着された貼着テープ１の端縁の上に貼着テープ１の延長部分１ａを重ねて貼着して用紙を綴じている。
また、前記した方法に代わる用紙の綴じる方法として、図１６に示すように、綴じようとする用紙３にＵ字形の切り込み７と、Ｕ字形の切り込み７と近接した位置にストレートの切り込み８とを入れ、Ｕ字形の切り込み７によって形成された舌片９を切り込みの終端部において折り曲げて、別途形成されたストレートの切り込み８の中に入れて用紙を綴じる方法がある。
【０００３】
【発明が解決しようとする課題】
しかしながら、この貼着テープによる用紙の端縁を綴じる方法によれば、用紙の端縁と平行するやや長めの貫通孔、特にこの貫通孔の長さは貼着テープの幅よりも若干長い長さを有する貫通孔が形成されているが、貼着テープは、用紙の端縁から貫通孔の間において用紙を周回するようにして固着されているので、貼着テープによって固定された用紙にはあそびがなく、そのために、用紙をめくるとき用紙を上方から用紙の端縁に向けてめくった場合やや長い貫通孔の両端部に応力が集中し、用紙がその部分より裂け始めることが多い。
また、この方法によれば、貼着テープを用紙の端縁と貫通孔間において周回させ用紙の端部を固定するように構成されるので、用紙のその他の部分、たとえばコーナー部分を綴じようとしても、綴じることができないという問題点がある。また、綴じようとする用紙にＵ字形の切り込みとストレートの切り込みを入れる用紙の綴じ方法においては、Ｕ字形の切り込みを入れて形成された舌片を折るので、舌片部分においてはＵ字形の大きな穴が用紙に開いてしまうという欠点があり、また綴じる用紙が多数枚となれば、Ｕ字形に切り込んで形成された舌片をスリット状の切り込みの中に入れることができない。
【０００４】
それゆえに、この発明の主たる目的は、用紙等の被固定体が裂けにくく、被固定体の固定される部分を選ぶことがなく、被固定体を固定することができる帯状体による固定の方法およびその構造を提供することにある。
【０００５】
【課題を解決するための手段】
この発明の請求項１にかかる帯状体による固定方法は、紙等が積層された被綴じ物からなる被固定体の端縁と直交および／または交差する方向に延びる貫通孔を形成するステップと、中央部に孔を穿設された可撓性シートまたはフィルムからなる帯状体を、帯状体支持手段の帯状体保持面に載置し且つ帯状体保持面に突設された凸部に前記孔を嵌挿して、帯状体を帯状体支持手段に固定するステップと、貫通孔に、可撓性シートまたはフィルムからなる帯状体の一部を挿通し、孔の穿設されていない帯状体の一部を被固定体の表面より突出させるステップと、貫通孔に挿通された被固定体の表面より突出された帯状体の一部が、貫通孔の延びる方向と交差する方向で被固定体の表面に向けて折り曲げるステップとを含む、帯状体による固定方法である。
この発明の請求項２にかかる帯状体による固定方法は、被固定体に並列する複数の貫通孔を形成するステップと、可撓性シートまたはフィルムからなる帯状体の一部を被固定体の一方主面に残し且つ被固定体の一方主面側に残った帯状体の一部分に隣接する帯状体の他部を貫通孔に挿通し、被固定体の他方主面より突出させるステップと、貫通孔に挿通され被固定体の表面より突出された帯状体の一部を、帯状体の他部を反対方向に向け被固定体の他方主面に対向するように折り曲げるとともに、帯状体の一部を被固定体の一方主面に対向して固定するステップとを含む、請求項１に記載の帯状体による固定方法である。
この発明の請求項３にかかる帯状体による固定方法は、被固定体に並列する複数の貫通孔を形成するステップと、可撓性シートまたはフィルムからなる帯状体の一部を被固定体の一方主面に残し且つ被固定体の一方主面側に残った帯状体の一部分に隣接する帯状体の他部を二重に折り重ねた状態で貫通孔内に挿通し、帯状体の他部を被固定体の他方主面に突出させるステップと、貫通孔に挿通され被固定体の表面に突出された二重に折り重ねられた帯状体の一部を引き延ばし且つ貫通孔近傍において帯状体の他部を反対方向に向け被固定体表面に対向するように折り曲げるとともに、帯状体の一部を被固定体の一方主面に対向して固定される、請求項１または請求項２に記載の帯状体による固定方法である。
この発明の請求項４にかかる帯状体による固定構造は、紙等が積層された被綴じ物からなる被固定体の端縁と直交および／または交差する方向に延びる貫通孔が適宜な間隔をあけて並列して形成され、その中央部に孔を穿設された可撓性シートまたはフィルムからなる帯状体の一部が、該帯状体の孔が貫通孔の間で被固定体の裏面に位置して挿通され、孔の穿設されていない帯状体の一部が被固定体の表面より突出され、貫通孔に挿通された被固定体の表面より突出された帯状体の一部が、貫通孔の延びる方向と交差する方向で被固定体の表面に向けて折り曲げられた、帯状体による固定構造である。
この発明の請求項５にかかる帯状体による固定構造は、被固定体に形成された、並列する複数の貫通孔に可撓性シートまたはフィルムからなる帯状体の一部が被固定体の一方主面に残され且つ被固定体の一方主面側に残った帯状体の一部分に隣接する帯状体の他部が貫通孔に挿通され、被固定体の他方主面より突出され、貫通孔に挿通され被固定体の表面より突出された帯状体の他部が、反対方向に向け被固定体の他方主面に対向するように折り曲げられるとともに、帯状体の一部が被固定体の一方主面に対向して固定された、請求項４に記載の帯状体による固定構造である。
この発明の請求項６にかかる帯状体による固定方法及び固定構造は、被固定体に形成される貫通孔は、並列する円弧状であり、その中間部において近接するように形成された、請求項１ないし請求項５のいずれかに記載の帯状体による固定方法及び固定構造である。
この発明の請求項７にかかる帯状体による固定方法及び固定構造は、帯状体の中央部は、被固定体の裏面と対向して、並列された貫通孔間に固定された、請求項１ないし請求項６のいずれかに記載の帯状体による固定方法及び固定構造である。
【０００６】
この発明の上述の目的，その他の目的，特徴および利点は、図面を参照して行う以下の発明の実施の形態の詳細な説明から一層明らかとなろう。
【０００７】
【発明の実施の形態】
図１ないし図９は、この発明に係る帯状体によって被綴じ物を固定する方法を示す図解図であり、図１０は、帯状体によって被綴じ物を綴じた状態を示す斜視図解図である。
この帯状体１０は、紙テープ，合成樹脂テープ等の可撓性シートまたはフィルムからなり、方形状の中央部１２と前記中央部１２の両端に突設された舌状の右端部１４と左端部１６とからなる。
被固定体たる用紙等の積層された被綴じ物１００には、並列する左右一対の円弧状貫通孔１０２，１０４が形成され、前記帯状体１０が被綴じ物１００の一方の主面（表面１０６）からもう一方の主面（裏面１０８）にわたって形成された貫通孔１０２，１０４内に挿通され、帯状体１０の中央部１２と隣接する右端部１４および左端部１６が固定されている。
すなわち、被綴じ物１００に穿設された貫通孔１０２，１０４は、被綴じ物１００の端縁１１０と交差する方向に向けて互いに並列して穿設された二条の細い円弧状の貫通孔１０２，１０４が、その中間部１０２ａ、１０４ａにおいて近接するように形成されている。そして、被綴じ物１００の端縁１１０と貫通孔１０２，１０４の終端部１０２ｂ，１０４ｂとの間には被綴じ物１００が破れない程度の適宜な間隔が設けられている。
【０００８】
帯状体１０の中央部１２は、被綴じ物１００の裏面１０８と対向して被綴じ物１００の裏面１０８に密着固定されている。
前記帯状体１０の中央部１２と隣接する右端部１４と左端部１６とは貫通孔１０２，１０４に挿通され、被綴じ物１００の表面１０６側に位置し、貫通孔１０２，１０４の近傍において貫通孔１０２，１０４と交差する方向に向けて折り曲げられ、帯状体１０の裏面が被綴じ物１００の表面１０６に密着固定されている。
【０００９】
次に、帯状体１０を被綴じ物１００に綴じる方法について、図１ないし図９に基づいて説明する。
まず、帯状体１０を被綴じ物１００に綴じる紙綴じ装置について説明する。
この紙綴じ装置２００は、被綴じ物１００を載置する用紙載置台２０２と、被綴じ物１００に貫通孔１０２，１０４を穿孔するとともに帯状体１０を貫通孔１０２，１０４に挿通させる穿孔挿通手段２０４と、帯状体１０を支持し帯状体１０を穿孔挿通手段２０４と協働して折り曲げるための帯状体支持手段２０６と、用紙載置台２０２の上部において被綴じ物１００を用紙載置台２０２に向けて押圧する用紙押圧手段２０８とを備える。
【００１０】
用紙載置台２０２は、穿孔挿通手段２０４が被綴じ物１００の表面１０６から裏面１０８、そして用紙載置台２０２の被綴じ物１００側からその下面に位置する帯状体１０側に向けて上下移動することができるように、貫挿孔２０２ａが穿設されている。
穿孔挿通手段２０４は、用紙載置台２０２の上面に載置された被綴じ物１００の表面１０６から裏面１０８および用紙載置台２０２の下方に位置する帯状体１０側に向けて進退自在に形成された断面円弧状の針状部２０４ａと、その針状部２０４ａの根元部に形成され帯状体１０を引っ掛ける鉤状の引掛部２０４ｂとを備えている。穿孔挿通手段２０４の針状部２０４ａには、帯状体１０の両端近傍が嵌挿する長さおよび幅を有する穴部２０４ｃが穿設されている。
帯状体支持手段２０６は、帯状体１０の中央部１２を保持する帯状体保持面２０６ａを備え、用紙載置台２０２に向けて進退自在に形成されている。
【００１１】
この紙綴じ装置２００によって帯状体１０により被綴じ物１００を綴じるには、被綴じ物１００を用紙載置台２０２の上面に載置する（図１図示）。
そして、帯状体支持手段２０６の帯状体保持面２０６ａの上面に帯状体１０の中央部１２を保持させる。中央部１２には、孔１２ａが穿設されており、該孔１２ａを帯状体保持面２０６ａの上面に突設された半球状凸部２０６ｂに嵌挿して帯状体１０を中央部１２に固定する。
次に、穿孔挿通手段２０４を被綴じ物１００に向けて進行させ、被綴じ物１００を針状部２０４ａをもって被綴じ物１００を貫かせて、被綴じ物１００に貫通孔１０２，１０４を並列して穿孔する（図２図示）。
次に、図３ないし図５に示すように、帯状体支持手段２０６を帯状体１０を保持したまま被綴じ物１００に向けて進行させ、被綴じ物１００の裏面と帯状体支持手段２０６の帯状体支持面２０６ａとの間において帯状体１０を挟持する。
そして、帯状体１０は、針状部２０４ａが帯状体１０の両端縁に達したときに、帯状体１０の弾力性によって、その両端が上方にはね上がり、帯状体１０の両端が、針状部２０４ａの穴部２０４ｃに嵌挿される（図３および図４図示）。そのとき、帯状体支持手段２０６の側面に設けられた支持片２０６ｃが帯状体１０の裏面に向けて突出して帯状体１０を上方に向けて押し上げるように支持する。
このとき、穿孔挿通手段２０４の針状部２０４ａは、被綴じ物１００に貫通孔１０２，１０４を穿孔する段階において、帯状体１０の上面を摺接し、帯状体１０の裏面側に位置するように構成されている。
【００１２】
次に、図５及び図６において示すように、穿孔挿通手段２０４の針状部２０４ａが帯状体１０の裏面側に位置した状態から上方に向けて、すなわち被綴じ物１００側に向けて後退させることにする。
この穿孔挿通手段２０４の針状部２０４ａが後退する前に、用紙押圧手段２０８によって、被綴じ物１００が用紙載置台２０２に押圧され固定される。
そして、穿孔挿通手段２０４の引掛部２０４ｂによって帯状体１０の右端部１４および左端部１６の裏面が引っ掛けられる。さらに、穿孔挿通手段２０４が後退することによって、引掛部２０４ｂとともに、帯状体１０が被綴じ物１００の貫通孔１０２，１０４内を挿通する。
そして、帯状体１０の右端部１４および左端部１６が被綴じ物１００の表面１０６側に突き出される。すなわち、帯状体１０の右端部１４および左端部１６の全体が、被綴じ物１００の表面１０６側に抜け出るまで穿孔挿通手段２０４が後退する。
【００１３】
次に、帯状体固定手段２１０を被綴じ物１００の表面１０６側に進ませ、帯状体１０の右端部１４および左端部１６の表面を被綴じ物１００の表面１０６側に向けて折り曲げる。
帯状体１０は、穿孔挿通手段２０４の引掛部２０４ｂによって引っ掛けられ、被綴じ物１００の貫通孔１０２，１０４に挿通されるときには、二重に折り重ねられた状態で挿通されるが、帯状体１０の右端部１４および左端部１６が貫通孔１０２，１０４より抜け出たときには再び帯状体１０がその弾性により引き延ばされる。そして、貫通孔１０２，１０４近傍で貫通孔１０２，１０４の延びる方向と交差する方向（直交する方向）に折り曲げられ、帯状体１０の右端部１４および左端部１６は、被綴じ物１００の表面１０６に接合される。
すなわち、帯状体１０の中央部１２は、被綴じ物１００の裏面１０８に位置し、被綴じ物１００の裏面１０８に残った中央部１２と隣接する帯状体１０の他部分、すなわち右端部１４および左端部１６は、貫通孔１０２，１０４に挿通されて被綴じ物１００の表面１０６側に位置し、被綴じ物１００の表面１０６側に突出した帯状体１０の右端部１４および左端部１６は、反対側、すなわちそれぞれが外方に向けて貫通孔１０２，１０４近傍で貫通孔１０２，１０４に沿って折り曲げられ、被綴じ物１００の裏面１０８に接合される。
【００１４】
帯状体１０は、可撓性シートまたはフィルムからなるが、そのような可撓性シートまたはフィルムとして、紙テープをそのまま用いてもよく、また紙テープでは弱いときには、紙に合成樹脂繊維を漉き込んだものや合成樹脂フィルムを積層したもの、あるいは合成樹脂シートまたはフィルムのみからなるものを選択してもよい。
また、帯状体１０の表面または裏面の一部に、粘着剤を塗布してなる粘着剤層を形成し、被綴じ物１００と接合したとき、すなわち帯状体１０の中央部１２および／または右端部１４と左端部１６の被綴じ物１００に接合する面に形成してもよい。
【００１５】
前記実施の形態においては、貫通孔１０２，１０４は円弧状に形成されているが、図１１に示すように、直線状の貫通孔を二条並列して形成してよい。
また、前記実施の形態においては、被綴じ物１００に貫通孔が左右一対、すなわち二条形成し帯状体１０を挿通して被綴じ物に固定したが、図１２に示すように、被綴じ物１００に貫通孔を複数条形成し、被綴じ物１００の表面１０６と裏面１０８間にわたり貫通孔に帯状体１０を挿通し、交互に被綴じ物１００の表面１０６および裏面１０８に帯状体１０が位置するようにして、被綴じ物１００に帯状体１０を固定してもよい。
【００１６】
また、図１１に示すように、被綴じ物１００のコーナー（隅部）において貫通孔１０２，１０４を、コーナーを形成する端縁と交差するように形成し、帯状体１０を固定してもよい。
また、被固定体は、用紙等の綴じたもののほか、包装物等であってもよい。
【００１７】
【発明の効果】
この発明によれば、被綴じ物、被固定体に帯状体を固定する場合、被固定体の端縁近傍のみならず角部にも固定することができ、たとえば、用紙等の被綴じ物の場合、角部に帯状体によって固定されるならば、斜め方向に用紙をめくって閲覧することが容易となる。
また、帯状体にて固定された被固定体は、たとえば閲覧をするときなどに被固定体を構成する用紙等をめくった場合、引張力が帯状体の端縁にかかるので、用紙等の被固定体がその部分において引き裂けたりすることがきわめて少なくなる。
【図面の簡単な説明】
【図１】この発明の一実施の形態である帯状体によって被綴じ物を固定する方法を示す図解図である。
【図２】この発明の一実施の形態である帯状体によって被綴じ物を固定する方法を示す図解図である。
【図３】この発明の一実施の形態である帯状体によって被綴じ物を固定する方法を示す図解図である。
【図４】この発明の一実施の形態である帯状体によって被綴じ物を固定する方法を示す図解図である。
【図５】この発明の一実施の形態である帯状体によって被綴じ物を固定する方法を示す図解図である。
【図６】この発明の一実施の形態である帯状体によって被綴じ物を固定する方法を示す図解図である。
【図７】この発明の一実施の形態である帯状体によって被綴じ物を固定する方法を示す図解図である。
【図８】この発明の一実施の形態である帯状体によって被綴じ物を固定する方法を示す図解図である。
【図９】この発明の一実施の形態である帯状体によって被綴じ物を固定する方法を示す図解図である。
【図１０】この発明の一実施の形態である帯状体によって被綴じ物を綴じた状態を示す斜視図解図であり、（Ａ）は、被綴じ物の裏面側を示す斜視図解図であり、（Ｂ）は、被綴じ物の表面側を示す斜視図解図である。
【図１１】この発明の別の実施の形態である帯状体を被綴じ物に綴じる方法を説明する
図である。
【図１２】この発明の別の実施の形態である帯状体を被綴じ物に綴じる方法を説明する
図である。
【図１３】従来技術を示す断面図解図である。
【図１４】従来技術を示す断面図解図である。
【図１５】従来技術を示す斜視図解図である。
【図１６】従来技術を示す斜視図解図である。
【符号の説明】
１０  帯状体
１２  中央部
１２ａ  孔
１４  右端部
１６  左端部
１００  被綴じ物
１０２，１０４  貫通孔
１０２ａ、１０４ａ  中間部
１０２ｂ，１０４ｂ  終端部
１０６  表面
１０８  裏面
１１０  端縁
２００  紙綴じ装置
２０２  用紙載置台
２０４  穿孔挿通手段
２０６  帯状体支持手段
２０８  用紙押圧手段
２１０  帯状体固定手段
２０２ａ  貫挿孔
２０４ａ  針状部
２０４ｂ  引掛部
２０４ｃ  穴部
２０６ａ  帯状体保持面
２０６ｂ  半球状凸部
２０６ｃ  支持片
【図１】
0003602812.tif 000002
【図２】
0003602812.tif 000003
【図３】
0003602812.tif 000004
【図４】
0003602812.tif 000005
【図５】
0003602812.tif 000006
【図６】
0003602812.tif 000007
【図７】
0003602812.tif 000008
【図８】
0003602812.tif 000009
【図９】
0003602812.tif 000010
【図１０】
0003602812.tif 000011
【図１１】
0003602812.tif 000012
【図１２】
0003602812.tif 000013
【図１３】
0003602812.tif 000014
【図１４】
0003602812.tif 000015
【図１５】
0003602812.tif 000016
【図１６】
0003602812.tif 000017